(57)【要約】【課題】表装部の下面に二本の脚部を垂下していても、ヒレが目地部の側面等に強固に係止できると共に、容易に取り外すことのできるコーナー目地を提供する。【解決手段】パネル１１とパネル１１との間に構成される目地部１２の全長方向に亘って挿着するコーナー目地であって、目地部１２の隙間５を覆う幅を有する表装部１の下面に、二本の脚部２を全長に亘って垂下させ、それぞれの脚部２の中程に外方に向かって突出した二本のヒレ３を全長方向に亘って設けると共に、二本の脚部２は内接して目地部１２に取付可能であって、二本の脚部２より突出したヒレ３により目地部１２の側面等を強く圧接して、二本の脚部２を目地部１２に取り付ける。【選択図】図１
2004204445.tif 000002
【特許請求の範囲】
【請求項１】
パネルとパネルとの間の目地部の全長方向に亘って挿着するコーナー目地であって、目地部の隙間を覆う幅を有する表装部に、二本の脚部を全長に亘って垂下させ、脚部の中程に外方に向かって突出した二本のヒレを全長方向に亘って設け、二本の脚部は内接して目地部に取付可能であることを特徴とするコーナー目地。
【請求項２】
脚部の付け根に、対向する二つの凹部を全長方向に亘って設けたことを特徴とする請求項１に記載のコーナー目地。
【発明の詳細な説明】
【０００１】
【発明の属する技術分野】
本発明は、コーナー部に挿入する乾式のコーナー目地に関する。
【０００２】
【従来の技術】
従来より、目地部の隙間を覆う表装部の下面に、目地部の全長方向に亘って一本の脚部を設け、脚部の先端の両側に外方に向かって突出した二本のヒレを目地部の全長方向に亘って取り付けたコーナー目地があった。（例えば、特許文献１参照）
しかし、コーナー目地にヒビ割れ等が入り、コーナー目地を取り換える場合に、コーナー目地を取り外そうとすると、ヒレが目地部の側面等に引っ掛かり、コーナー目地を取り外し難くなるという問題があった。
【０００３】
また、表装部の下面に二本の脚部を垂下し、それぞれの脚部に外方に向かって突出したヒレを設けたコーナー目地もある。（例えば、特許文献２参照）
しかし、表装部の下面に二本の脚部を垂下し、それぞれの脚部にヒレを付けたコーナー目地の場合、一本の脚部に二本のヒレを取り付けていたときより、脚部が内方に折れ曲がり易くなり、ヒレが側面等に係止する力が弱くなるので、ヒレが目地部の側面等に引っ掛かり難くなり、コーナー目地が外れ易いという問題がある。
【０００４】
【特許文献１】
特開平９−９６０１８号公報（第１−３項、図１、図２）
【０００５】
【特許文献２】
特開平８−６０７５６号公報（第１−５項、図１、図２）
【０００６】
【発明が解決しようとする課題】
本発明は、上記の問題点を解消するためのもので、表装部の下面に二本の脚部を垂下していても、ヒレが目地部の側面等に強固に係止できると共に、容易に取り外すことのできるコーナー目地を提供するものである。
【０００７】
【課題を解決するための手段】
本発明の請求項１記載のコーナー目地は、パネルとパネルとの間の目地部の全長方向に亘って挿着するコーナー目地であって、目地部の隙間を覆う幅を有する表装部に、二本の脚部を全長に亘って垂下させ、脚部の中程に外方に向かって突出した二本のヒレを全長方向に亘って設け、二本の脚部は内接して目地部に取付可能であることを特徴とするコーナー目地。
【０００８】
このものにあっては、表装部の下面に二本の脚部を垂下しているので、コーナー目地を取り換える場合、コーナー目地の全長方向に亘って前方より表装部の略中央を切断すると、コーナー目地を二つに分割することができ、表装部の下面に位置する脚部のヒレが側面等に係止する力が弱くなるので、切断した表装部を前方へ引っ張り易くなり、容易にコーナー目地を取り外すことができる。
【０００９】
また、目地部の隙間を覆う幅を有する表装部の下面に、二本の脚部を内接させて目地部に取り付けているので、脚部が内方に向かって折れ曲がり難くなり、脚部より外方に向かって突出するヒレが目地部の側面等に引っ掛かり易くなるので、表装部の下面に二本の脚部が垂下されていても、ヒレを確実に目地部の側面等に係止することができる。
【００１０】
本発明の請求項２に記載のコーナー目地は、請求項１に記載のコーナー目地において、脚部の付け根に、対向する二つの凹部を全長方向に亘って設けたことを特徴とする。
【００１１】
このものにあっては、コーナー目地の全長方向に亘って前方より表装部の略中央を切断してコーナー目地を取り外す場合、切断した表装部を引っ張り、表装部の一部を脚部の凹部に嵌まり込ませることにより、表装部の下面に位置する脚部のヒレが側面等に係止する力が更に弱くなるので、表装部を前方へ引っ張り、コーナー目地を取り外すことが更に容易になる。
【００１２】
【発明の実施の形態】
以後、本発明の実施形態を、図を用いて説明する。
【００１３】
図１又は図２は、本発明の実施形態に係るコーナー目地の実施例を示す。
【００１４】
表装部１は、パネル１１とパネル１１との間に構成される目地部１２の隙間５を覆う幅を有していて、目地部１２の全長方向に亘って伸びている。表装部１の下面に、二本の脚部２を備え、この脚部２も目地部１２の全長方向に亘って伸びている。
【００１５】
夫々の脚部２の中程には、外方に向かって突出した二本のヒレ３を備え、このヒレ３も目地部１２の全長方向に亘って伸びている。また、夫々の脚部２の付け根に、対向する二つの凹部４を備えていて、この凹部４も目地部１２の全長方向に亘って伸びている。尚、表装部１、脚部２及びヒレ３は、いずれも軟質樹脂によって成形されている。
【００１６】
二本の脚部２は、互いに接近していて、コーナー目地Ａを目地部１２に挿着すると、脚部２が互いに内接すると共に、ヒレ３がパネル１１の側面に圧接されて、コーナー目地Ａはパネル１１とパネル１１の間に固定される。
【００１７】
目地部１２の隙間５を覆う幅を有する表装部１の下面に、二本の脚部２を内接させて目地部に取り付けているので、脚部２が内方に向かって折れ曲がり難くなり、脚部２より外方に向かって突出するヒレ３が目地部１２の側面等に引っ掛かり易くなるので、表装部１の下面に二本の脚部２が垂下されていても、ヒレ３を確実に目地部１２の側面等に係止することができる。
【００１８】
また、表装部１にヒビ割れ等が入り、コーナー目地Ａを取り換える場合には、表装部１の下面に二本の脚部２を垂下しているので、コーナー目地Ａの全長方向に亘って前方より表装部１の略中央を切断すると、コーナー目地を二つに分割することができ、表装部１の下面に位置する脚部２のヒレ３が側面等に係止する力が弱くなるので、切断した表装部１を前方へ引っ張り易くなり、容易にコーナー目地Ａを取り外すことができる。
【００１９】
この場合、切断した表装部１を前方へ引っ張る代わりに、後方へ押し込んでも良い。
【００２０】
また、脚部２の付け根に、対向する二つの凹部４を全長方向に亘って設けているので、コーナー目地Ａを取り外す場合、コーナー目地Ａの全長方向に亘って前方より表装部１の略中央を切断し、表装部１を引っ張り、切断した表装部１の一部を脚部２の凹部４に嵌まり込ませることにより、表装部１の下面に位置する脚部２のヒレ３が側面等に係止する力が更に弱くなるので、コーナー目地Ａの表装部１を前方へ引っ張り、コーナー目地を取り外すことが更に容易になる。
【００２１】
この場合、表装部１を前方へ引っ張る代わりに、切断した表装部１を後方へ押し込んで、切断した表装部１の一部を脚部２の凹部４に嵌まり込ませて、そのまま押し込んでコーナー目地Ａを取り外しても良い。
【００２２】
【発明の効果】
以上の説明により、本発明の請求項１記載のコーナー目地によると、表装部の下面に二本の脚部を垂下しているので、コーナー目地を取り換える場合、コーナー目地の全長方向に亘って前方より表装部の略中央を切断すると、コーナー目地を二つに分割することができ、表装部の下面に位置する脚部のヒレが側面等に係止する力が弱くなるので、切断した表装部を前方へ引っ張り易くなり、容易にコーナー目地を取り外すことができる。
【００２３】
また、目地部の隙間を覆う幅を有する表装部の下面に、二本の脚部を内接させて目地部に取り付けているので、脚部が内方に向かって折れ曲がり難くなり、脚部より外方に向かって突出するヒレが目地部の側面等に引っ掛かり易くなるので、表装部の下面に二本の脚部が垂下されていても、ヒレを確実に目地部の側面等に係止することができる。
【００２４】
本発明の請求項２に記載のコーナー目地によると、コーナー目地の全長方向に亘って前方より表装部の略中央を切断してコーナー目地を取り外す場合、切断した表装部を引っ張り、表装部の一部を脚部の凹部に嵌まり込ませることにより、表装部の下面に位置する脚部のヒレが側面等に係止する力が更に弱くなるので、表装部を前方へ引っ張り、コーナー目地を取り外すことが更に容易になる。
【図面の簡単な説明】
【図１】本発明の実施形態係るコーナー目地の実施例を示す縦断面図である。
【図２】同上のコーナー目地の実施例であって、コーナー目地の取付構造を示す縦断面図である。
【図３】同上のコーナー目地の実施例であって、コーナー目地を取り外す場合の一例を示す縦断面図である。
【符号の説明】
１      表装部
２      脚部
３      ヒレ
４      凹部
５      隙間
１１    パネル
１２    目地部
【図１】
2004204445.tif 000003
【図２】
2004204445.tif 000004
【図３】
2004204445.tif 000005